(57)【要約】【課題】光変調特性が相違する光変調素子（液晶ライトバルブ）を組み合わせた構成において意図しない色の画像が非表示領域に表示される事態を回避する。【解決手段】映像信号処理部２と、ノーマリーホワイトの液晶ライトバルブ４Ｒ，４Ｇおよびノーマリーブラックの液晶ライトバルブ４Ｂを有する投射機構４と、液晶ライトバルブ駆動部３とを備え、映像信号処理部２は、映像信号Ｓ１から個別映像信号Ｓ２Ｒ，Ｓ２Ｇ，Ｓ２Ｂを生成する入力信号処理部１１と、個別映像信号Ｓ２Ｒ，Ｓ２Ｇ，Ｓ２Ｂに非表示領域用映像信号を付加して個別映像信号Ｓ３Ｒ，Ｓ３Ｇ，Ｓ３Ｂを生成するマスク処理部１２Ｒ，１２Ｇ，１２Ｂと、各液晶ライトバルブ毎の光変調特性に応じて個別映像信号Ｓ３Ｒ，Ｓ３Ｇ，Ｓ３Ｂの明度の値を変換して個別映像信号Ｓ４Ｒ，Ｓ４Ｇ，４ＳＢを生成する補正処理部１３Ｒ，１３Ｇ，１３Ｂとを備えている。【選択図】図１
2007219355.tif 000002
【特許請求の範囲】
【請求項１】
映像信号に対する信号処理を実行する映像信号処理部と、ノーマリーホワイトの光変調特性を有する少なくとも１つの光変調素子およびノーマリーブラックの光変調特性を有する少なくとも１つの光変調素子を含んで構成された投射機構と、前記映像信号処理部から出力された出力信号に従って前記各光変調素子を駆動する変調素子駆動部とを備え、
前記映像信号処理部は、前記映像信号に基づいて前記各光変調素子毎の個別映像信号を生成する個別信号生成部と、前記映像信号に基づく映像の非表示領域についての非表示領域用映像信号を前記各個別映像信号に付加して第１の処理済み信号を生成する第１の信号付加処理部と、前記各光変調素子毎の前記光変調特性に応じて前記各第１の処理済み信号における明度の値を変換して前記出力信号を生成する第１の信号変換処理部とを備えているプロジェクタ。
【請求項２】
映像信号に対する信号処理を実行する映像信号処理部と、ノーマリーホワイトの光変調特性を有する少なくとも１つの光変調素子およびノーマリーブラックの光変調特性を有する少なくとも１つの光変調素子を含んで構成された投射機構と、前記映像信号処理部から出力された出力信号に従って前記各光変調素子を駆動する変調素子駆動部とを備え、
前記映像信号処理部は、前記映像信号に基づいて前記各光変調素子毎の個別映像信号を生成する個別信号生成部と、前記各光変調素子毎の前記光変調特性に応じて前記各個別映像信号における明度の値を変換して第２の処理済み信号を生成する第２の信号変換処理部と、前記映像信号に基づく映像の非表示領域についての非表示領域用映像信号を前記各第２の処理済み信号に付加して前記出力信号を生成する第２の信号付加処理部とを備え、
前記第２の信号付加処理部は、前記各光変調素子毎の前記光変調特性に応じて前記明度の値が規定された前記非表示領域用映像信号を前記各第２の処理済み信号に付加するプロジェクタ。
【請求項３】
映像信号に対する信号処理を実行する映像信号処理部と、ノーマリーホワイトの光変調特性を有する少なくとも１つの光変調素子およびノーマリーブラックの光変調特性を有する少なくとも１つの光変調素子を含んで構成された投射機構と、前記映像信号処理部から出力された出力信号に従って前記各光変調素子を駆動する変調素子駆動部とを備え、
前記映像信号処理部は、前記映像信号に基づいて前記各光変調素子毎の個別映像信号を生成する個別信号生成部と、前記各光変調素子毎の前記光変調特性に応じて前記各個別映像信号における明度の値を変換して第２の処理済み信号を生成する第２の信号変換処理部と、前記映像信号に基づく映像の非表示領域についての非表示領域用映像信号を前記各第２の処理済み信号に付加して第３の処理済み信号を生成する第３の信号付加処理部と、前記各光変調素子毎の前記光変調特性に応じて前記各第３の処理済み信号における前記非表示領域に対応する信号の前記明度の値を変換して前記出力信号を生成する第３の信号変換処理部とを備えているプロジェクタ。
【請求項４】
映像信号に対する信号処理を実行する映像信号処理部と、ノーマリーホワイトの光変調特性を有する少なくとも１つの光変調素子およびノーマリーブラックの光変調特性を有する少なくとも１つの光変調素子を含んで構成された投射機構と、前記映像信号処理部から出力された出力信号に従って前記各光変調素子を駆動する変調素子駆動部とを備え、
前記映像信号処理部は、前記映像信号に基づいて前記各光変調素子毎の個別映像信号を生成する個別信号生成部と、前記各光変調素子毎の前記光変調特性に応じて前記各個別映像信号における明度の値を変換して第２の処理済み信号を生成する第２の信号変換処理部と、前記映像信号に基づく映像の非表示領域についての非表示領域用映像信号を前記各第２の処理済み信号に付加して第３の処理済み信号を生成する第３の信号付加処理部と、前記各光変調素子毎の前記光変調特性に応じて前記各第３の処理済み信号における前記非表示領域に対応する信号を有効または無効とする変換処理を実行して前記出力信号を生成する第４の信号変換処理部とを備えているプロジェクタ。
【請求項５】
前記各光変調素子の前記光変調特性を示す光変調特性情報を書き換え可能に記憶する記憶部を備え、
前記映像信号処理部は、前記記憶部に記憶されている前記各光変調素子毎の前記光変調特性に応じて前記出力信号を生成する請求項１から４のいずれかに記載のプロジェクタ。
【発明の詳細な説明】
【技術分野】
【０００１】
本発明は、複数の光変調素子を備えて構成されたプロジェクタに関するものである。
【背景技術】
【０００２】
この種のプロジェクタとして、出願人は、赤色（Ｒ）、緑色（Ｇ）および青色（Ｂ）の各光を別個独立して光変調する３枚の液晶ライトバルブ（液晶パネル：光変調素子）を備えた３板式のプロジェクタを特開２００２−１９６７３６号公報に開示している。このプロジェクタは、画像信号変換回路、アスペクト比調整回路、液晶ライトバルブの駆動回路およびコントローラ等を備え、アスペクト比が相違する各種の画像（映像）をスクリーンに表示させることが可能に構成されている。この場合、このプロジェクタでは、アスペクト比が３：４の液晶ライトバルブが採用されている。また、この種の３板式のプロジェクタでは、赤色用の光変調素子、緑色用の光変調素子および青色用の光変調素子として、ノーマリーホワイトの光変調特性を有する液晶ライトバルブ、およびノーマリーブラックの光変調特性を有する液晶ライトバルブのいずれか一種類のみを搭載する構成が採用されている。
【０００３】
一方、画像信号変換回路は、各液晶ライトバルブのＶＴ特性（液晶ライトバルブに対する入力電圧と光透過率との相互関係についての特性）に応じたガンマ補正等の各種デコード処理を実行する。また、アスペクト比調整回路は、例えば、アスペクト比が９：１６の画像の画像データに対して、その画像の上下方向に黒色の画像（マスク画像）についての画像データを付加し、これにより、黒色の画像からなるマスクの表示領域（非表示領域）を含む全体のアスペクト比が３：４の画像についての画像データを生成して駆動回路に出力する。この結果、出願人が開示しているプロジェクタでは、アスペクト比が３：４の各液晶ライトバルブを用いた光変調処理によってアスペクト比が９：１６の画像を黒色のマスク画像と共にスクリーンに表示させることが可能となっている。
【特許文献１】特開２００２−１９６７３６号公報（第４−８頁、第１−８図）
【発明の開示】
【発明が解決しようとする課題】
【０００４】
ところが、出願人が開示しているプロジェクタには、以下の改善すべき課題がある。すなわち、このプロジェクタでは、各液晶ライトバルブのＶＴ特性等に応じてデコード処理した画像データに対して黒色のマスク画像の画像データを付加することにより、アスペクト比が９：１６の画像（以下、「画像本体」ともいう）の上下に黒色のマスク画像を付加した画像（アスペクト比が３：４の画像）表示させる構成が採用されている。一方、出願人は、ノーマリーホワイトの液晶ライトバルブとノーマリーブラックの液晶ライトバルブとを適宜組み合わせて使用することで、ブラックマトリクスを一層細くすることができると共に、黒色の画像を一層黒く表示させて高コントラスト化を図ることができるのを見出した。この場合、例えば、赤色用の光変調素子および緑色用の光変調素子としてノーマリーホワイトの液晶ライトバルブを採用し、青色用の光変調素子としてノーマリーブラックの液晶ライトバルブを採用したときには、ノーマリーホワイトの液晶ライトバルブによって光変調処理する画像データ（赤色用および緑色用の画像データ）と、ノーマリーブラックの液晶ライトバルブによって光変調処理する画像データ（青色用の画像データ）とで各画素毎の明度の値を反転させる必要が生じる。
【０００５】
具体的には、一例として、全体が黒色の画面（画像）をスクリーンに表示させる際に、上記の明度の値を反転させる処理を実行することなく、その明度の値が最も小さい（最も暗い）画素で構成された画像の画像データを、赤色用の画像データ、緑色用の画像データ、および青色用の画像データとして画像信号変換回路から出力したときには、駆動回路は、赤色用、緑色用および青色用のすべての液晶ライトバルブに対して最も大きな値の電圧が印加されるように同一の駆動用信号を生成して出力する。この際に、赤色用および緑色用のノーマリーホワイトの液晶ライトバルブにおいては、液晶に高い電圧が印加されることによって光の透過が阻止される。一方、青色用のノーマリーブラックの液晶ライトバルブにおいては、液晶に高い電圧が印加されることによって光の透過が許容される。このため、全体的に黒色の画像を表示させようとしているにも拘わらず、スクリーンには、青色用の液晶ライトバルブを透過した青色の光が投射される結果、全体的に青色の画面（画像）が表示されることとなる。
【０００６】
したがって、上記の例のように、全体的に黒色の画面をスクリーンに表示させる場合、画像信号変換回路によるデコード処理に際して、赤色用の画像データ、および緑色用の画像データについては、その明度の値が最も小さい（最も暗い）画像の画像データを出力し、青色用の画像データについては、その明度の値が最も大きい（最も明るい）画像の画像データを出力する。これにより、赤色用および緑色用の液晶ライトバルブに対して最も大きな値の電圧が印加されるように駆動用信号が生成されて出力される結果、赤色用および緑色用の液晶ライトバルブにおける光の透過が阻止される。また、青色用の液晶ライトバルブに対しては、最も小さな値の電圧が印加されるか、または、電圧が印加されないように駆動用信号が生成されて出力される結果、青色用の液晶ライトバルブにおける光の透過が阻止される。したがって、全体的に黒色の画面をスクリーンに表示させることが可能となる。
【０００７】
しかしながら、出願人が開示しているプロジェクタでは、画像信号変換回路によるデコード処理が完了した画像データに対して黒色のマスク画像の画像データを付加することで例えば画像本体の上下に黒色の画像（マスク画像）を表示させる構成が採用されている。したがって、上記の例のように青色用のみノーマリーブラックの液晶ライトバルブを採用する場合、前述したように、画像本体については、画像信号変換回路によるデコード処理時において青色用の画像データについてのみ明度の値を反転させることにより、黒色の画像を黒色で表示させること可能となる。しかし、画像本体に黒色の画像（明度の値が小さい画像）をマスク画像として付加した画像データが駆動回路に入力されたときには、青色用の液晶ライトバルブにおけるマスク画像に対応する領域において光の透過が許容される結果、画像本体の上下方向に青色の光が投射されて青色の画像が表示されることとなる。したがって、ノーマリーホワイトの液晶ライトバルブとノーマリーブラックの液晶ライトバルブとを適宜組み合わせて使用する場合（光変調特性が相違する光変調素子を組み合わせて使用する場合）においても、マスク画像の領域（画像本体を表示しない非表示領域）を黒色で表示できるように改善するのが好ましい。
【０００８】
本発明は、かかる改善すべき課題に鑑みてなされたものであり、光変調特性が相違する光変調素子を組み合わせて使用する構成において意図しない色の画像が非表示領域に表示される事態を回避し得るプロジェクタを提供することを主目的とする。
【課題を解決するための手段】
【０００９】
上記目的を達成すべく、本発明に係るプロジェクタは、映像信号に対する信号処理を実行する映像信号処理部と、ノーマリーホワイトの光変調特性を有する少なくとも１つの光変調素子およびノーマリーブラックの光変調特性を有する少なくとも１つの光変調素子を含んで構成された投射機構と、前記映像信号処理部から出力された出力信号に従って前記各光変調素子を駆動する変調素子駆動部とを備え、前記映像信号処理部は、前記映像信号に基づいて前記各光変調素子毎の個別映像信号を生成する個別信号生成部と、前記映像信号に基づく映像の非表示領域についての非表示領域用映像信号を前記各個別映像信号に付加して第１の処理済み信号を生成する第１の信号付加処理部と、前記各光変調素子毎の前記光変調特性に応じて前記各第１の処理済み信号における明度の値を変換して前記出力信号を生成する第１の信号変換処理部とを備えている。
【００１０】
このプロジェクタによれば、第１の信号変換処理部が各個別映像信号に非表示領域用映像信号を付加した第１の処理済み信号を対象として各光変調素子毎の光変調特性に応じて明度の値を変換する処理を実行して出力信号を生成するように映像信号処理部を構成したことにより、例えば、ノーマリーホワイトの光変調素子における非表示領域（非表示領域映像に対応する領域）において光源からの光の透過が規制され、ノーマリーブラックの光変調素子における非表示領域において光源からの光の透過が許容されるといった事態を招くことなく、光変調特性が相違する各光変調素子のすべてにおける非表示領域において光源からの光の透過を規制して映像を表示させることができる。したがって、映像信号に基づく映像（映像本体）の周囲に意図しない色の映像（非表示領域用の単色の映像）が表示される事態を招くことなく、光変調特性が相違する各光変調素子を組み合わせて採用することができる結果、ブラックマトリクスを一層細くすると共に高コントラスト化を図ることができる。また、光変調特性が相違する光変調素子毎に、明度の値が相違する非表示領域用映像信号を用意することなく、各第１の信号付加処理部によって同一の非表示領域用映像信号を各個別映像信号に付加することで各出力信号を生成することができるため、映像信号処理部を簡易に構成することができる。
【００１１】
また、本発明に係るプロジェクタは、映像信号に対する信号処理を実行する映像信号処理部と、ノーマリーホワイトの光変調特性を有する少なくとも１つの光変調素子およびノーマリーブラックの光変調特性を有する少なくとも１つの光変調素子を含んで構成された投射機構と、前記映像信号処理部から出力された出力信号に従って前記各光変調素子を駆動する変調素子駆動部とを備え、前記映像信号処理部は、前記映像信号に基づいて前記各光変調素子毎の個別映像信号を生成する個別信号生成部と、前記各光変調素子毎の前記光変調特性に応じて前記各個別映像信号における明度の値を変換して第２の処理済み信号を生成する第２の信号変換処理部と、前記映像信号に基づく映像の非表示領域についての非表示領域用映像信号を前記各第２の処理済み信号に付加して前記出力信号を生成する第２の信号付加処理部とを備え、前記第２の信号付加処理部は、前記各光変調素子毎の前記光変調特性に応じて前記明度の値が規定された前記非表示領域用映像信号を前記各第２の処理済み信号に付加する。
【００１２】
このプロジェクタによれば、第２の信号変換処理部が各光変調素子毎の光変調特性に応じて各個別映像信号における明度の値を変換して第２の処理済み信号を生成すると共に、第２の信号付加処理部が各光変調素子毎の光変調特性に応じて明度の値が規定された非表示領域用映像信号を各第２の処理済み信号に付加して出力信号を生成するように映像信号処理部を構成したことにより、例えば、ノーマリーホワイトの光変調素子における非表示領域（非表示領域映像に対応する領域）において光源からの光の透過が規制され、ノーマリーブラックの光変調素子における非表示領域において光源からの光の透過が許容されるといった事態を招くことなく、光変調特性が相違する各光変調素子のすべてにおける非表示領域において光源からの光の透過を規制して映像を表示させることができる。したがって、映像信号に基づく映像（映像本体）の周囲に意図しない色の映像（非表示領域用の単色の映像）が表示される事態を招くことなく、光変調特性が相違する各光変調素子を組み合わせて採用することができる結果、ブラックマトリクスを一層細くすると共に高コントラスト化を図ることができる。また、光変調素子のＶＴ特性等に応じた信号補正処理の後に非表示領域用映像信号を付加するといった一般的な映像信号処理部の構成を大きく変更することなく、意図しない色の映像が非表示領域に表示される事態を回避することができる。
【００１３】
また、本発明に係るプロジェクタは、映像信号に対する信号処理を実行する映像信号処理部と、ノーマリーホワイトの光変調特性を有する少なくとも１つの光変調素子およびノーマリーブラックの光変調特性を有する少なくとも１つの光変調素子を含んで構成された投射機構と、前記映像信号処理部から出力された出力信号に従って前記各光変調素子を駆動する変調素子駆動部とを備え、前記映像信号処理部は、前記映像信号に基づいて前記各光変調素子毎の個別映像信号を生成する個別信号生成部と、前記各光変調素子毎の前記光変調特性に応じて前記各個別映像信号における明度の値を変換して第２の処理済み信号を生成する第２の信号変換処理部と、前記映像信号に基づく映像の非表示領域についての非表示領域用映像信号を前記各第２の処理済み信号に付加して第３の処理済み信号を生成する第３の信号付加処理部と、前記各光変調素子毎の前記光変調特性に応じて前記各第３の処理済み信号における前記非表示領域に対応する信号の前記明度の値を変換して前記出力信号を生成する第３の信号変換処理部とを備えている。
【００１４】
このプロジェクタによれば、第３の信号変換処理部が各第３の処理済み信号における非表示領域に対応する信号の明度の値を各光変調素子毎の光変調特性に応じて変換して出力信号を生成するように映像信号処理部を構成したことにより、例えば、ノーマリーホワイトの光変調素子における非表示領域（非表示領域映像に対応する領域）において光源からの光の透過が規制され、ノーマリーブラックの光変調素子における非表示領域において光源からの光の透過が許容されるといった事態を招くことなく、光変調特性が相違する各光変調素子のすべてにおける非表示領域において光源からの光の透過を規制して映像を表示させることができる。したがって、映像信号に基づく映像（映像本体）の周囲に意図しない色の映像（非表示領域用の単色の映像）が表示される事態を招くことなく、光変調特性が相違する各光変調素子を組み合わせて採用することができる結果、ブラックマトリクスを一層細くすると共に高コントラスト化を図ることができる。また、光変調特性が相違する光変調素子毎に、明度の値が相違する非表示領域用映像信号を用意することなく、各第３の信号付加処理部によって同一の非表示領域用映像信号を各第２の処理済み信号に付加することで各第３の処理済み信号を生成することができるため、映像信号処理部を簡易に構成することができる。
【００１５】
また、本発明に係るプロジェクタは、映像信号に対する信号処理を実行する映像信号処理部と、ノーマリーホワイトの光変調特性を有する少なくとも１つの光変調素子およびノーマリーブラックの光変調特性を有する少なくとも１つの光変調素子を含んで構成された投射機構と、前記映像信号処理部から出力された出力信号に従って前記各光変調素子を駆動する変調素子駆動部とを備え、前記映像信号処理部は、前記映像信号に基づいて前記各光変調素子毎の個別映像信号を生成する個別信号生成部と、前記各光変調素子毎の前記光変調特性に応じて前記各個別映像信号における明度の値を変換して第２の処理済み信号を生成する第２の信号変換処理部と、前記映像信号に基づく映像の非表示領域についての非表示領域用映像信号を前記各第２の処理済み信号に付加して第３の処理済み信号を生成する第３の信号付加処理部と、前記各光変調素子毎の前記光変調特性に応じて前記各第３の処理済み信号における前記非表示領域に対応する信号を有効または無効とする変換処理を実行して前記出力信号を生成する第４の信号変換処理部とを備えている。
【００１６】
このプロジェクタによれば、第４の信号変換処理部が各光変調素子毎の光変調特性に応じて各第３の処理済み信号における非表示領域に対応する信号を有効または無効とする変換処理を実行して出力信号を生成するように映像信号処理部を構成したことにより、例えば、ノーマリーホワイトの光変調素子における非表示領域（非表示領域映像に対応する領域）において光源からの光の透過が規制され、ノーマリーブラックの光変調素子における非表示領域において光源からの光の透過が許容されるといった事態を招くことなく、光変調特性が相違する各光変調素子のすべてにおける非表示領域において光源からの光の透過を規制して映像を表示させることができる。したがって、映像信号に基づく映像（映像本体）の周囲に意図しない色の映像（非表示領域用の単色の映像）が表示される事態を招くことなく、光変調特性が相違する各光変調素子を組み合わせて採用することができる結果、ブラックマトリクスを一層細くすると共に高コントラスト化を図ることができる。また、光変調特性が相違する光変調素子毎に、明度の値が相違する非表示領域用映像信号を用意することなく、各第３の信号付加処理部によって同一の非表示領域用映像信号を各第２の処理済み信号に付加することで各第２の処理済み信号を生成することができるため、映像信号処理部を簡易に構成することができる。
【００１７】
さらに、本発明に係るプロジェクタは、前記各光変調素子の前記光変調特性を示す光変調特性情報を書き換え可能に記憶する記憶部を備え、前記映像信号処理部は、前記記憶部に記憶されている前記各光変調素子毎の前記光変調特性に応じて前記出力信号を生成する。
【００１８】
このプロジェクタによれば、記憶部に書き換え可能に記憶させた光変調特性情報に基づき、映像信号処理部が各光変調素子毎の光変調特性に応じて出力信号を生成する構成を採用したことにより、プロジェクタに求められる仕様に応じて光変調特性が相違する光変調素子の組み合わせを変更するときにも、映像信号処理部の構成を変更することなく、新たな組み合わせの光変調素子に応じて光変調特性情報を書き換えるだけで映像信号に基づく映像（映像本体）の周囲に意図しない色の映像（非表示領域用の単色の映像）が表示される事態を回避することができる。
【発明を実施するための最良の形態】
【００１９】
以下、本発明に係るプロジェクタの最良の形態について、添付図面を参照して説明する。図１に示すプロジェクタ１は、本発明における光変調素子に相当する３枚の液晶ライトバルブ４Ｒ，４Ｇ，４Ｂを備えた３板式のフロント投射型プロジェクタであって、外部装置から出力された映像信号Ｓ１に基づく映像Ｐ（図２参照）を図示しないスクリーンに表示可能に構成されている。このプロジェクタ１は、映像信号処理部２、液晶ライトバルブ駆動部３、投射機構４、制御部５および記憶部６を備えている。
【００２０】
映像信号処理部２は、入力信号処理部１１、マスク処理部１２Ｒ，１２Ｇ，１２Ｂおよび補正処理部１３Ｒ，１３Ｇ，１３Ｂを備えている。入力信号処理部１１は、制御部５の制御に従い、映像信号Ｓ１に対するフレームレートの変換処理やリサイズ処理等を実行する。また、入力信号処理部１１は、本発明における個別信号生成部に相当し、液晶ライトバルブ４Ｒによって赤色光ＬＲを光変調するための個別映像信号Ｓ２Ｒ、液晶ライトバルブ４Ｇによって緑色光ＬＧを光変調するための個別映像信号Ｓ２Ｇ、および液晶ライトバルブ４Ｂによって青色光ＬＢを光変調するための個別映像信号Ｓ２Ｂを映像信号Ｓ１に基づいてそれぞれ生成する。なお、本明細書において、符号の末尾にＲを付した各信号は、赤色光ＬＲを光変調処理する液晶ライトバルブ４Ｒ用の信号を意味し、符号の末尾にＧを付した各信号は、緑色光ＬＧを光変調処理する液晶ライトバルブ４Ｇ用の信号を意味し、符号の末尾にＢを付した各信号は、青色光ＬＢを光変調処理する液晶ライトバルブ４Ｂ用の信号を意味している。
【００２１】
マスク処理部１２Ｒ，１２Ｇ，１２Ｂは、それぞれ本発明における第１の信号付加処理部に相当し、制御部５の制御に従い、本発明における第１の処理済み信号に相当する個別映像信号Ｓ３Ｒ，Ｓ３Ｇ，Ｓ３Ｂを生成する。補正処理部１３Ｒ，１３Ｇ，１３Ｂは、それぞれ本発明における第１の信号変換処理部に相当し、制御部５の制御に従い、本発明における出力信号に相当する個別映像信号Ｓ４Ｒ，Ｓ４Ｇ，Ｓ４Ｂを生成する。なお、各マスク処理部１２Ｒ，１２Ｇ，１２Ｂによる個別映像信号Ｓ３Ｒ，Ｓ３Ｇ，Ｓ３Ｂの生成処理や、各補正処理部１３Ｒ，１３Ｇ，１３Ｂによる個別映像信号Ｓ４Ｒ，Ｓ４Ｇ，Ｓ４Ｂの生成処理については、後に詳細に説明する。液晶ライトバルブ駆動部３は、本発明における変調素子駆動部に相当し、制御部５の制御に従い、映像信号処理部２から出力される各個別映像信号Ｓ４Ｒ，Ｓ４Ｇ，Ｓ４Ｂに基づき、各液晶ライトバルブ４Ｒ，４Ｇ，４Ｂを駆動するための（各液晶ライトバルブ４Ｒ，４Ｇ，４Ｂに光変調処理を実行させるための）駆動信号Ｓ５Ｒ，Ｓ５Ｇ，Ｓ５Ｂを生成して出力する。
【００２２】
投射機構４は、前述した液晶ライトバルブ４Ｒ，４Ｇ，４Ｂと、メタルハライドランプや高圧水銀ランプで構成された光源ランプ（図示せず）と、液晶ライトバルブ４Ｒ，４Ｇ，４Ｂによって光変調された赤色光ＬＲ、緑色光ＬＧおよび青色光ＬＢをスクリーンに向けて投射する投射レンズ（図示せず）とを備えて構成されている。この場合、このプロジェクタ１では、一例として、液晶ライトバルブ４Ｒ，４Ｇがノーマリーホワイトの光変調特性を有する液晶ライトバルブで構成され、液晶ライトバルブ４Ｂがノーマリーブラックの光変調特性を有する液晶ライトバルブで構成されている。また、このプロジェクタ１では、各種解像度の画像（映像）を鮮明に表示させるために、一般的な解像度の画像における画素数（一例として、６００×８００画素）よりも画素数が多い各液晶ライトバルブ４Ｒ，４Ｇ，４Ｂ（一例として、６６０×８８０画素の液晶ライトバルブ）が採用されている。したがって、図２に示すように、映像本体Ｐａ（映像信号Ｓ１に対応する画像）の画素数が液晶ライトバルブ４Ｒ，４Ｇ，４Ｂの画素数よりも少ないときには、映像本体Ｐａの周囲に映像の非表示領域が生じるため、この非表示領域に黒色の非表示領域映像Ｐｂを表示させる構成が採用されている。
【００２３】
制御部５は、プロジェクタ１を総括的に制御する。具体的には、制御部５は、映像信号処理部２を制御して各液晶ライトバルブ４Ｒ，４Ｇ，４Ｂ毎の個別映像信号Ｓ４Ｒ，Ｓ４Ｇ，Ｓ４Ｂを映像信号Ｓ１に基づいて生成させると共に、液晶ライトバルブ駆動部３を制御して各個別映像信号Ｓ４Ｒ，Ｓ４Ｇ，Ｓ４Ｂに基づく駆動信号Ｓ５Ｒ，Ｓ５Ｇ，Ｓ５Ｂを生成させて液晶ライトバルブ４Ｒ，４Ｇ，４Ｂに出力させる。記憶部６は、本発明における光変調特性情報に相当する特性情報Ｄを書き換え可能に記憶する。この場合、このプロジェクタ１では、記憶部６は、液晶ライトバルブ４Ｒ，４Ｇがノーマリーホワイトの光変調特性を有する光変調素子で、液晶ライトバルブ４Ｂがノーマリーブラックの光変調特性を有する光変調素子である旨の情報（本発明における「各光変調素子の光変調特性を示す情報」の一例）と、各液晶ライトバルブ４Ｒ，４Ｇ，４ＢのＶＴ特性とを記憶する。なお、上記の液晶ライトバルブ４Ｒ，４Ｇ，４Ｂに代えて、光変調特性やＶＴ特性が相違する液晶ライトバルブをプロジェクタ１に搭載するときには、この特性情報Ｄを新たな液晶ライトバルブの光変調特性やＶＴ特性に応じて書き換えることで、映像信号処理部２によって新たな液晶ライトバルブに対応する個別映像信号Ｓ４Ｒ，Ｓ４Ｇ，Ｓ４Ｂが生成される。
【００２４】
次に、プロジェクタ１の全体的な動作について、図面を参照して説明する。このプロジェクタ１では、プロジェクタ１に接続されたチューナや記録再生装置等の外部装置（図示せず）からスクリーンに表示すべき映像についての映像信号Ｓ１が出力されたときに、図２に示すように、入力信号処理部１１が映像信号Ｓ１に基づいて各液晶ライトバルブ４Ｒ，４Ｇ，４Ｂ用の個別映像信号Ｓ２Ｒ，Ｓ２Ｇ，Ｓ２Ｂを生成して出力する。なお、同図、および後に参照する図４，６，７では、各信号や、液晶ライトバルブ４Ｒ，４Ｇ，４Ｂから射出された各色の光に対応する画像（映像）を図示することでその内容を概念的に表している。また、以下の説明においては、本発明についての理解を容易とするために、一例として、白色の画面内に黒色の円が描かれた映像の映像信号Ｓ１が外部装置から出力されたものとする。
【００２５】
次いで、各マスク処理部１２Ｒ，１２Ｇ，１２Ｂが個別映像信号Ｓ２Ｒ，Ｓ２Ｇ，Ｓ２Ｂに対して、前述した非表示領域映像Ｐｂに対応する画素分の映像信号（本発明における「非表示領域用映像信号」）を付加して個別映像信号Ｓ３Ｒ，Ｓ３Ｇ，Ｓ３Ｂを生成する。この際に、各マスク処理部１２Ｒ，１２Ｇ，１２Ｂは、非表示領域映像Ｐｂに対応して、その明度が最も小さい（最も暗い）映像信号、すなわち、黒色の色情報で構成された映像信号を個別映像信号Ｓ２Ｒ，Ｓ２Ｇ，Ｓ２Ｂにそれぞれ付加する。
【００２６】
続いて、補正処理部１３Ｒ，１３Ｇ，１３Ｂが制御部５の制御に従って各個別映像信号Ｓ３Ｒ，Ｓ３Ｇ，Ｓ３Ｂに対する信号補正処理を実行して個別映像信号Ｓ４Ｒ，Ｓ４Ｇ，Ｓ４Ｂを生成する。具体的には、各補正処理部１３Ｒ，１３Ｇ，１３Ｂは、記憶部６に記憶されている特性情報Ｄに基づき、各液晶ライトバルブ４Ｒ，４Ｇ，４Ｂの光変調特性およびＶＴ特性に応じて個別映像信号Ｓ３Ｒ，Ｓ３Ｇ，Ｓ３Ｂに対する信号補正処理を実行する。この際に、補正処理部１３Ｒは、特性情報Ｄに基づき、液晶ライトバルブ４ＲのＶＴ特性に応じて個別映像信号Ｓ３Ｒにおける明度の値を補正する処理（いわゆるガンマ補正処理）を実行して個別映像信号Ｓ４Ｒを生成する。また、補正処理部１３Ｇは、特性情報Ｄに基づき、液晶ライトバルブ４ＧのＶＴ特性に応じて個別映像信号Ｓ３Ｒに対するガンマ補正処理を実行して個別映像信号Ｓ４Ｇを生成する。
【００２７】
一方、補正処理部１３Ｂは、特性情報Ｄに基づき、液晶ライトバルブ４ＢのＶＴ特性に応じて個別映像信号Ｓ３Ｂに対するガンマ補正処理を実行すると共に、ノーマリーブラックの液晶ライトバルブ４Ｂによって映像本体Ｐａおよび非表示領域映像Ｐｂの双方（映像Ｐの全体）に対応する領域において青色光ＬＢが正しく光変調処理されるように、個別映像信号Ｓ３Ｂにおける明度の値をノーマリーブラックの液晶ライトバルブ４Ｂ用に反転させて個別映像信号Ｓ４Ｂを生成する（明度の値を変換する処理の一例）。この結果、補正処理部１３Ｂから出力される個別映像信号Ｓ４Ｂは、映像信号Ｓ１における白色の部位に相当する各画素の明度の値が小さく（暗く）、映像信号Ｓ１における黒色の円に相当する各画素の明度の値が大きく（明るく）、かつ、マスク処理部１２Ｂによって付加された映像信号（非表示領域映像Ｐｂに対応する部位の信号）の各画素における明度の値が大きい（明るい）信号となる。
【００２８】
次いで、液晶ライトバルブ駆動部３が映像信号処理部２（補正処理部１３Ｒ，１３Ｇ，１３Ｂ）から出力された個別映像信号Ｓ４Ｒ，Ｓ４Ｇ，Ｓ４Ｂに基づいて駆動信号Ｓ５Ｒ，Ｓ５Ｇ，Ｓ５Ｂを生成して各液晶ライトバルブ４Ｒ，４Ｇ，４Ｂに出力する。この際に、液晶ライトバルブ駆動部３は、個別映像信号Ｓ４Ｒ，Ｓ４Ｇ，Ｓ４Ｂにおいて明度の値が小さい画素（暗い画素）については、液晶ライトバルブ４Ｒ，４Ｇ，４Ｂに対して大きな値の電圧が印加され、個別映像信号Ｓ４Ｒ，Ｓ４Ｇ，Ｓ４Ｂにおいて明度の値が大きい画素（明るい画素）については、液晶ライトバルブ４Ｒ，４Ｇ，４Ｂに対して小さな値の電圧が印加されるか、または、電圧が印加されないように、各駆動信号Ｓ５Ｒ，Ｓ５Ｇ，Ｓ５Ｂを生成する。この結果、各液晶ライトバルブ４Ｒ，４Ｇ，４Ｂにおいて、映像信号Ｓ１における白色の部位に相当する領域において赤色光ＬＲ、緑色光ＬＧおよび青色光ＬＢの透過が許容されると共に、映像信号Ｓ１における黒色の円に相当する領域と、マスク処理部１２Ｒ，１２Ｇ，１２Ｂによって付加された映像信号（非表示領域映像Ｐｂに対応する部位の信号）に対応する領域とにおいて赤色光ＬＲ、緑色光ＬＧおよび青色光ＬＢの透過が規制される。したがって、スクリーンには、白色の画面内に黒色の円が描かれた映像本体Ｐａと、その周囲の黒色の非表示領域映像Ｐｂとが映像Ｐとして表示される。
【００２９】
このように、このプロジェクタ１によれば、補正処理部１３Ｒ，１３Ｇ，１３Ｂ（第１の信号変換処理部）が各個別映像信号Ｓ２Ｒ，Ｓ２Ｇ，Ｓ２Ｂに本発明における非表示領域用映像信号を付加した個別映像信号Ｓ３Ｒ，Ｓ３Ｇ，Ｓ３Ｂ（第１の処理済み信号）を対象として液晶ライトバルブ４Ｒ，４Ｇ，４Ｂ毎の光変調特性に応じて明度の値を変換する処理を実行して本発明における出力信号に相当する個別映像信号Ｓ４Ｒ，Ｓ４Ｇ，Ｓ４Ｂを生成するように映像信号処理部２を構成したことにより、例えば、ノーマリーホワイトの液晶ライトバルブ（この例では、液晶ライトバルブ４Ｒ，４Ｇ）における非表示領域映像Ｐｂに対応する領域において光源からの光の透過が規制され、ノーマリーブラックの液晶ライトバルブ（この例では、液晶ライトバルブ４Ｂ）における非表示領域映像Ｐｂに対応する領域において光源からの光の透過が許容されるといった事態を招くことなく、光変調特性が相違する液晶ライトバルブ４Ｒ，４Ｇ，４Ｂのすべてにおける非表示領域映像Ｐｂに対応する領域において光源からの光の透過を規制して映像Ｐを表示させることができる。したがって、映像本体Ｐａの周囲に意図しない色の非表示領域映像Ｐｂが表示される事態を招くことなく、光変調特性が相違する液晶ライトバルブ４Ｒ，４Ｇ，４Ｂを組み合わせて採用することができる結果、ブラックマトリクスを一層細くすると共に高コントラスト化を図ることができる。また、光変調特性が相違する光変調素子毎に、明度の値が相違する非表示領域用映像信号を用意することなく、マスク処理部１２Ｒ，１２Ｇ，１２Ｂによって同一の非表示領域用映像信号（非表示領域映像Ｐｂに対応する黒色の色情報で構成された映像信号）を各個別映像信号Ｓ２Ｒ，Ｓ２Ｇ，Ｓ２Ｂに付加することで個別映像信号Ｓ３Ｒ，Ｓ３Ｇ，Ｓ３Ｂを生成することができるため、映像信号処理部２を簡易に構成することができる。
【００３０】
また、このプロジェクタ１によれば、記憶部６に書き換え可能に記憶させた特性情報Ｄ（光変調特性情報）に基づき、映像信号処理部２が制御部５の制御に従って各液晶ライトバルブ４Ｒ，４Ｇ，４Ｂ毎の光変調特性に応じて個別映像信号Ｓ４Ｒ，Ｓ４Ｇ，Ｓ４Ｂを生成する構成を採用したことにより、プロジェクタ１に求められる仕様に応じて光変調特性が相違する液晶ライトバルブの組み合わせを変更するときにおいても、映像信号処理部２の構成を変更することなく、新たな組み合わせの液晶ライトバルブに応じて特性情報Ｄを書き換えるだけで、映像本体Ｐａの周囲に意図しない色の非表示領域映像Ｐｂが表示される事態を回避することができる。
【００３１】
次に、本発明に係るプロジェクタの他の実施の形態について、図面を参照して説明する。なお、前述したプロジェクタ１と同様の構成要素については、同一の符号を付して重複する説明を省略する。図３に示すプロジェクタ１Ａは、前述したプロジェクタ１における映像信号処理部２に代えて、映像信号処理部２Ａを備えて構成されている。
【００３２】
この場合、このプロジェクタ１Ａに搭載されている映像信号処理部２Ａでは、前述したプロジェクタ１における映像信号処理部２とは異なり、入力信号処理部１１から出力された個別映像信号Ｓ２Ｒ，Ｓ２Ｇ，Ｓ２Ｂに基づき、本発明における第２の信号変換処理部に相当する補正処理部１３Ｒ，１３Ｇ，１３Ｂが本発明における第２の処理済み信号に相当する個別映像信号Ｓ６Ｒ，Ｓ６Ｇ，Ｓ６Ｂを生成する構成が採用されている。また、この映像信号処理部２Ａでは、前述したプロジェクタ１における映像信号処理部２とは異なり、補正処理部１３Ｒ，１３Ｇ，１３Ｂから出力された個別映像信号Ｓ６Ｒ，Ｓ６Ｇ，Ｓ６Ｂに基づき、本発明における第２の信号付加処理部に相当するマスク処理部１２Ｒ，１２Ｇ，１２Ｂが本発明における出力信号に相当する個別映像信号Ｓ４Ｒ，Ｓ４Ｇ，Ｓ４Ｂを生成する構成が採用されている。なお、各補正処理部１３Ｒ，１３Ｇ，１３Ｂによる個別映像信号Ｓ６Ｒ，Ｓ６Ｇ，Ｓ６Ｂの生成処理や、各マスク処理部１２Ｒ，１２Ｇ，１２Ｂによる個別映像信号Ｓ４Ｒ，Ｓ４Ｇ，Ｓ４Ｂの生成処理については、後に詳細に説明する。
【００３３】
このプロジェクタ１Ａでは、外部装置（図示せず）からスクリーンに表示すべき映像についての映像信号Ｓ１が出力されたときに、図４に示すように、前述したプロジェクタ１と同様にして、入力信号処理部１１が映像信号Ｓ１に基づいて各液晶ライトバルブ４Ｒ，４Ｇ，４Ｂ用の個別映像信号Ｓ２Ｒ，Ｓ２Ｇ，Ｓ２Ｂを生成して出力する。次いで、各補正処理部１３Ｒ，１３Ｇ，１３Ｂが制御部５の制御に従って各個別映像信号Ｓ２Ｒ，Ｓ２Ｇ，Ｓ２Ｂに対する信号補正処理を実行して個別映像信号Ｓ６Ｒ，Ｓ６Ｇ，Ｓ６Ｂを生成する。具体的には、各補正処理部１３Ｒ，１３Ｇ，１３Ｂは、記憶部６に記憶されている特性情報Ｄに基づき、各液晶ライトバルブ４Ｒ，４Ｇ，４Ｂの光変調特性およびＶＴ特性に応じて個別映像信号Ｓ２Ｒ，Ｓ２Ｇ，Ｓ２Ｂに対する信号補正処理を実行する。この際に、補正処理部１３Ｒは、特性情報Ｄに基づき、液晶ライトバルブ４ＲのＶＴ特性に応じて個別映像信号Ｓ２Ｒに対するガンマ補正処理を実行して個別映像信号Ｓ６Ｒを生成する。また、補正処理部１３Ｇは、特性情報Ｄに基づき、液晶ライトバルブ４ＧのＶＴ特性に応じて個別映像信号Ｓ２Ｒに対するガンマ補正処理を実行して個別映像信号Ｓ６Ｇを生成する。
【００３４】
一方、補正処理部１３Ｂは、特性情報Ｄに基づき、液晶ライトバルブ４ＢのＶＴ特性に応じて個別映像信号Ｓ２Ｂに対するガンマ補正処理を実行すると共に、ノーマリーブラックの液晶ライトバルブ４Ｂによって映像本体Ｐａに対応する領域において青色光ＬＢが正しく光変調処理されるように、個別映像信号Ｓ２Ｂにおける明度の値をノーマリーブラックの液晶ライトバルブ４Ｂ用に反転させて個別映像信号Ｓ６Ｂを生成する（明度の値を変換する処理の一例）。この結果、補正処理部１３Ｂから出力される個別映像信号Ｓ６Ｂは、映像信号Ｓ１における白色の部位に相当する各画素の明度の値が小さく（暗く）、かつ、映像信号Ｓ１における黒色の円に相当する各画素の明度の値が大きい（明るい）信号となる。
【００３５】
続いて、各マスク処理部１２Ｒ，１２Ｇ，１２Ｂが個別映像信号Ｓ６Ｒ，Ｓ６Ｇ，Ｓ６Ｂに対して、前述した非表示領域映像Ｐｂに対応する画素分の映像信号（本発明における「非表示領域用映像信号」）を付加して個別映像信号Ｓ４Ｒ，Ｓ４Ｇ，Ｓ４Ｂを生成する。この際に、マスク処理部１２Ｒ，１２Ｇは、非表示領域映像Ｐｂに対応して、その明度が最も小さい（最も暗い）映像信号、すなわち、黒色の色情報で構成された映像信号を個別映像信号Ｓ６Ｒ，Ｓ６Ｇにそれぞれ付加して個別映像信号Ｓ４Ｒ，Ｓ４Ｇを生成する。一方、マスク処理部１２Ｂは、その明度が最も大きい（最も明るい）信号、すなわち、白色の色情報で構成された非表示領域映像Ｐｂに対応する映像信号（「各光変調素子毎の光変調特性に応じて明度の値が規定された非表示領域用映像信号」の一例）を個別映像信号Ｓ６Ｂに付加して個別映像信号Ｓ４Ｂを生成する。
【００３６】
次いで、液晶ライトバルブ駆動部３が映像信号処理部２Ａ（マスク処理部１２Ｒ，１２Ｇ，１２Ｂ）から出力された個別映像信号Ｓ４Ｒ，Ｓ４Ｇ，Ｓ４Ｂに基づいて駆動信号Ｓ５Ｒ，Ｓ５Ｇ，Ｓ５Ｂを生成して各液晶ライトバルブ４Ｒ，４Ｇ，４Ｂに出力する。この際に、液晶ライトバルブ駆動部３は、個別映像信号Ｓ４Ｒ，Ｓ４Ｇ，Ｓ４Ｂにおいて明度の値が小さい画素（暗い画素）については、液晶ライトバルブ４Ｒ，４Ｇ，４Ｂに対して大きな値の電圧が印加され、個別映像信号Ｓ４Ｒ，Ｓ４Ｇ，Ｓ４Ｂにおいて明度の値が大きい画素（明るい画素）については、液晶ライトバルブ４Ｒ，４Ｇ，４Ｂに対して小さな値の電圧が印加されるか、または、電圧が印加されないように、各駆動信号Ｓ５Ｒ，Ｓ５Ｇ，Ｓ５Ｂを生成する。この結果、各液晶ライトバルブ４Ｒ，４Ｇ，４Ｂにおいて、映像信号Ｓ１における白色の部位に相当する領域において赤色光ＬＲ、緑色光ＬＧおよび青色光ＬＢの透過が許容されると共に、映像信号Ｓ１における黒色の円に相当する領域と、マスク処理部１２Ｒ，１２Ｇ，１２Ｂによって付加された映像信号（非表示領域映像Ｐｂに対応する部位の信号）に対応する領域とにおいて赤色光ＬＲ、緑色光ＬＧおよび青色光ＬＢの透過が規制される。したがって、スクリーンには、白色の画面内に黒色の円が描かれた映像本体Ｐａと、その周囲の黒色の非表示領域映像Ｐｂとが映像Ｐとして表示される。
【００３７】
このように、このプロジェクタ１Ａによれば、補正処理部１３Ｒ，１３Ｇ，１３Ｂ（第２の信号変換処理部）が液晶ライトバルブ４Ｒ，４Ｇ，４Ｂ毎の光変調特性に応じて各個別映像信号Ｓ２Ｒ，Ｓ２Ｇ，Ｓ２Ｂにおける明度の値を変換して個別映像信号Ｓ６Ｒ，Ｓ６Ｇ，Ｓ６Ｂ（第２の処理済み信号）を生成すると共に、マスク処理部１２Ｒ，１２Ｇ，１２Ｂ（第２の信号付加処理部）が液晶ライトバルブ４Ｒ，４Ｇ，４Ｂ毎の光変調特性に応じて明度の値が規定された非表示領域用の映像信号を各個別映像信号Ｓ６Ｒ，Ｓ６Ｇ，Ｓ６Ｂ（第２の処理済み信号）に付加して本発明における出力信号に相当する個別映像信号Ｓ４Ｒ，Ｓ４Ｇ，Ｓ４Ｂを生成するように映像信号処理部２Ａを構成したことにより、例えば、ノーマリーホワイトの液晶ライトバルブ（この例では、液晶ライトバルブ４Ｒ，４Ｇ）における非表示領域映像Ｐｂに対応する領域において光源からの光の透過が規制され、ノーマリーブラックの液晶ライトバルブ（この例では、液晶ライトバルブ４Ｂ）における非表示領域映像Ｐｂに対応する領域において光源からの光の透過が許容されるといった事態を招くことなく、光変調特性が相違する液晶ライトバルブ４Ｒ，４Ｇ，４Ｂのすべてにおける非表示領域映像Ｐｂに対応する領域において光源からの光の透過を規制して映像Ｐを表示させることができる。したがって、映像本体Ｐａの周囲に意図しない色の非表示領域映像Ｐｂが表示される事態を招くことなく、光変調特性が相違する液晶ライトバルブ４Ｒ，４Ｇ，４Ｂを組み合わせて採用することができる結果、ブラックマトリクスを一層細くすると共に高コントラスト化を図ることができる。また、光変調素子のＶＴ特性等に応じた信号補正処理の後に非表示領域用映像信号を付加するといった一般的な映像信号処理部の構成を大きく変更することなく、映像本体Ｐａの周囲に意図しない色の非表示領域映像Ｐｂが表示される事態を回避することができる。
【００３８】
また、このプロジェクタ１Ａによれば、記憶部６に書き換え可能に記憶させた特性情報Ｄ（光変調特性情報）に基づき、映像信号処理部２Ａが液晶ライトバルブ４Ｒ，４Ｇ，４Ｂ毎の光変調特性に応じて個別映像信号Ｓ４Ｒ，Ｓ４Ｇ，Ｓ４Ｂを生成する構成を採用したことにより、プロジェクタ１Ａに求められる仕様に応じて光変調特性が相違する液晶ライトバルブの組み合わせを変更するときにも、映像信号処理部２Ａの構成を変更することなく、新たな組み合わせの液晶ライトバルブに応じて特性情報Ｄを書き換えるだけで映像本体Ｐａの周囲に意図しない色の非表示領域映像Ｐｂが表示される事態を回避することができる。
【００３９】
次いで、本発明に係るプロジェクタのさらに他の実施の形態について、図面を参照して説明する。なお、前述したプロジェクタ１，１Ａと同様の構成要素については、同一の符号を付して重複する説明を省略する。図５に示すプロジェクタ１Ｂは、前述したプロジェクタ１Ａにおける映像信号処理部２Ａに代えて、映像信号処理部２Ｂを備えて構成されている。
【００４０】
この場合、このプロジェクタ１Ｂに搭載されている映像信号処理部２Ｂでは、前述したプロジェクタ１Ａにおける映像信号処理部２Ａと同様にして、入力信号処理部１１から出力された個別映像信号Ｓ２Ｒ，Ｓ２Ｇ，Ｓ２Ｂに基づき、本発明における第２の信号変換処理部に相当する補正処理部１３Ｒ，１３Ｇ，１３Ｂが本発明における第２の処理済み信号に相当する個別映像信号Ｓ６Ｒ，Ｓ６Ｇ，Ｓ６Ｂを生成する構成が採用されている。また、この映像信号処理部２Ｂでは、前述したプロジェクタ１，１Ａにおける映像信号処理部２，２Ａとは異なり、補正処理部１３Ｒ，１３Ｇ，１３Ｂから出力された個別映像信号Ｓ６Ｒ，Ｓ６Ｇ，Ｓ６Ｂに基づき、本発明における第３の信号付加処理部に相当するマスク処理部１２Ｒ，１２Ｇ，１２Ｂが本発明における第３の処理済み信号に相当する個別映像信号Ｓ４Ｒ，Ｓ４Ｇ，Ｓ７Ｂを生成する構成が採用されている。なお、各補正処理部１３Ｒ，１３Ｇ，１３Ｂによる個別映像信号Ｓ６Ｒ，Ｓ６Ｇ，Ｓ６Ｂの生成処理や、各マスク処理部１２Ｒ，１２Ｇ，１２Ｂによる個別映像信号Ｓ４Ｒ，Ｓ４Ｇ，Ｓ７Ｂの生成処理については、後に詳細に説明する。
【００４１】
さらに、この映像信号処理部２Ｂでは、マスク処理部１２Ｒ，１２Ｇ，１２Ｂから出力された個別映像信号Ｓ４Ｒ，Ｓ４Ｇ，Ｓ７Ｂに基づき、出力信号処理部１４ａが本発明における出力信号に相当する個別映像信号Ｓ４Ｒ，Ｓ４Ｇ，Ｓ４Ｂを生成する構成が採用されている。この場合、出力信号処理部１４ａは、本発明における第３の信号変換処理部に相当し、制御部５の制御に従い、マスク処理部１２Ｒ，１２Ｇ，１２Ｂから出力された個別映像信号Ｓ４Ｒ，Ｓ４Ｇ，Ｓ７Ｂにおける各画素毎の明度の値をインバート処理して出力可能なインバータで構成されている。
【００４２】
このプロジェクタ１Ｂでは、外部装置（図示せず）からスクリーンに表示すべき映像についての映像信号Ｓ１が出力されたときに、図６に示すように、前述したプロジェクタ１と同様にして、入力信号処理部１１が映像信号Ｓ１に基づいて各液晶ライトバルブ４Ｒ，４Ｇ，４Ｂ用の個別映像信号Ｓ２Ｒ，Ｓ２Ｇ，Ｓ２Ｂを生成して出力する。次いで、各補正処理部１３Ｒ，１３Ｇ，１３Ｂが制御部５の制御に従って各個別映像信号Ｓ２Ｒ，Ｓ２Ｇ，Ｓ２Ｂに対する信号補正処理を実行して個別映像信号Ｓ６Ｒ，Ｓ６Ｇ，Ｓ６Ｂを生成する。
【００４３】
続いて、各マスク処理部１２Ｒ，１２Ｇ，１２Ｂが個別映像信号Ｓ６Ｒ，Ｓ６Ｇ，Ｓ６Ｂに対して、前述した非表示領域映像Ｐｂに対応する画素分の映像信号（本発明における「非表示領域用映像信号」）を付加して個別映像信号Ｓ４Ｒ，Ｓ４Ｇ，Ｓ７Ｂを生成する。この際に、マスク処理部１２Ｒ，１２Ｇ，１２Ｂは、非表示領域映像Ｐｂに対応して、その明度が最も小さい（最も暗い）映像信号、すなわち、黒色の色情報で構成された映像信号を個別映像信号Ｓ６Ｒ，Ｓ６Ｇ，Ｓ６Ｂにそれぞれ付加して個別映像信号Ｓ４Ｒ，Ｓ４Ｇ，Ｓ７Ｂを生成する。
【００４４】
次いで、出力信号処理部１４ａが制御部５の制御に従い、個別映像信号Ｓ４Ｒ，Ｓ４Ｇ，Ｓ７Ｂに対するインバート処理を実行する。この際に、制御部５は、記憶部６に記憶されている特性情報Ｄに基づいて出力信号処理部１４ａを制御し、個別映像信号Ｓ４Ｒ，Ｓ４Ｇについては、映像本体Ｐａに対応する信号および非表示領域映像Ｐｂに対応する信号の双方の明度の値を変換することなく個別映像信号Ｓ４Ｒ，Ｓ４Ｇを出力させる。また、制御部５は、個別映像信号Ｓ７Ｂについては、映像本体Ｐａに対応する信号の明度の値を変換せず、かつ、非表示領域映像Ｐｂに対応する信号の明度の値を液晶ライトバルブ４Ｂの光変調特性に応じて反転させるように変換させることにより、個別映像信号Ｓ４Ｂを生成させて出力させる。
【００４５】
次いで、液晶ライトバルブ駆動部３が映像信号処理部２Ｂ（出力信号処理部１４ａ）から出力された個別映像信号Ｓ４Ｒ，Ｓ４Ｇ，Ｓ４Ｂに基づいて駆動信号Ｓ５Ｒ，Ｓ５Ｇ，Ｓ５Ｂを生成して各液晶ライトバルブ４Ｒ，４Ｇ，４Ｂに出力する。この際に、液晶ライトバルブ駆動部３は、個別映像信号Ｓ４Ｒ，Ｓ４Ｇ，Ｓ４Ｂにおいて明度の値が小さい画素（暗い画素）については、液晶ライトバルブ４Ｒ，４Ｇ，４Ｂに対して大きな値の電圧が印加され、個別映像信号Ｓ４Ｒ，Ｓ４Ｇ，Ｓ４Ｂにおいて明度の値が大きい画素（明るい画素）については、液晶ライトバルブ４Ｒ，４Ｇ，４Ｂに対して小さな値の電圧が印加されるか、または、電圧が印加されないように、各駆動信号Ｓ５Ｒ，Ｓ５Ｇ，Ｓ５Ｂを生成する。この結果、各液晶ライトバルブ４Ｒ，４Ｇ，４Ｂにおいて、映像信号Ｓ１における白色の部位に相当する領域において赤色光ＬＲ、緑色光ＬＧおよび青色光ＬＢの透過が許容されると共に、映像信号Ｓ１における黒色の円に相当する領域と、マスク処理部１２Ｒ，１２Ｇ，１２Ｂによって付加された映像信号（非表示領域映像Ｐｂに対応する部位の信号）に対応する領域とにおいて赤色光ＬＲ、緑色光ＬＧおよび青色光ＬＢの透過が規制される。したがって、スクリーンには、白色の画面内に黒色の円が描かれた映像本体Ｐａと、その周囲の黒色の非表示領域映像Ｐｂとが映像Ｐとして表示される。
【００４６】
このように、このプロジェクタ１Ｂによれば、出力信号処理部１４ａ（第３の信号変換処理部）が個別映像信号Ｓ４Ｒ，Ｓ４Ｇ，Ｓ７Ｂ（第３の処理済み信号）における非表示領域映像Ｐｂ（非表示領域）に対応する信号の明度の値を液晶ライトバルブ４Ｒ，４Ｇ，４Ｂ毎の光変調特性に応じて変換して個別映像信号Ｓ４Ｒ，Ｓ４Ｇ，Ｓ４Ｂ（出力信号）を生成するように映像信号処理部２Ｂを構成したことにより、例えば、ノーマリーホワイトの液晶ライトバルブ（この例では、液晶ライトバルブ４Ｒ，４Ｇ）における非表示領域映像Ｐｂに対応する領域において光源からの光の透過が規制され、ノーマリーブラックの液晶ライトバルブ（この例では、液晶ライトバルブ４Ｂ）における非表示領域映像Ｐｂに対応する領域において光源からの光の透過が許容されるといった事態を招くことなく、光変調特性が相違する液晶ライトバルブ４Ｒ，４Ｇ，４Ｂのすべてにおける非表示領域映像Ｐｂに対応する領域において光源からの光の透過を規制して映像Ｐを表示させることができる。したがって、映像本体Ｐａの周囲に意図しない色の非表示領域映像Ｐｂが表示される事態を招くことなく、光変調特性が相違する液晶ライトバルブ４Ｒ，４Ｇ，４Ｂを組み合わせて採用することができる結果、ブラックマトリクスを一層細くすると共に高コントラスト化を図ることができる。また、光変調特性が相違する光変調素子毎に、明度の値が相違する非表示領域用映像信号を用意することなく、マスク処理部１２Ｒ，１２Ｇ，１２Ｂによって同一の非表示領域用映像信号（非表示領域映像Ｐｂに対応する黒色の色情報で構成された映像信号）を各個別映像信号Ｓ６Ｒ，Ｓ６Ｇ，Ｓ６Ｂに付加することで個別映像信号Ｓ４Ｒ，Ｓ４Ｇ，Ｓ７Ｂを生成することができるため、映像信号処理部２Ｂを簡易に構成することができる。
【００４７】
また、このプロジェクタ１Ｂによれば、記憶部６に書き換え可能に記憶させた特性情報Ｄ（光変調特性情報）に基づき、映像信号処理部２Ｂが液晶ライトバルブ４Ｒ，４Ｇ，４Ｂ毎の光変調特性に応じて個別映像信号Ｓ４Ｒ，Ｓ４Ｇ，Ｓ４Ｂを生成する構成を採用したことにより、プロジェクタ１Ｂに求められる仕様に応じて光変調特性が相違する液晶ライトバルブの組み合わせを変更するときにも、映像信号処理部２Ｂの構成を変更することなく、新たな組み合わせの液晶ライトバルブに応じて特性情報Ｄを書き換えるだけで映像本体Ｐａの周囲に意図しない色の非表示領域映像Ｐｂが表示される事態を回避することができる。
【００４８】
続いて、本発明に係るプロジェクタのさらに他の実施の形態について、図面を参照して説明する。なお、前述したプロジェクタ１，１Ａ，１Ｂと同様の構成要素については、同一の符号を付して重複する説明を省略する。図５に示すプロジェクタ１Ｃは、前述したプロジェクタ１Ｂにおける映像信号処理部２Ｂに代えて、映像信号処理部２Ｃを備えて構成されている。
【００４９】
この場合、このプロジェクタ１Ｃに搭載されている映像信号処理部２Ｃでは、前述したプロジェクタ１Ａ，１Ｂにおける映像信号処理部２Ａ，２Ｂと同様にして、入力信号処理部１１から出力された個別映像信号Ｓ２Ｒ，Ｓ２Ｇ，Ｓ２Ｂに基づき、本発明における第２の信号変換処理部に相当する補正処理部１３Ｒ，１３Ｇ，１３Ｂが本発明における第２の処理済み信号に相当する個別映像信号Ｓ６Ｒ，Ｓ６Ｇ，Ｓ６Ｂを生成する構成が採用されている。また、この映像信号処理部２Ｃでは、前述したプロジェクタ１Ｂにおける映像信号処理部２Ｂと同様にして、補正処理部１３Ｒ，１３Ｇ，１３Ｂから出力された個別映像信号Ｓ６Ｒ，Ｓ６Ｇ，Ｓ６Ｂに基づき、本発明における第３の信号付加処理部に相当するマスク処理部１２Ｒ，１２Ｇ，１２Ｂが本発明における第３の処理済み信号に相当する個別映像信号Ｓ４Ｒ，Ｓ４Ｇ，Ｓ７Ｂを生成する構成が採用されている。
【００５０】
さらに、この映像信号処理部２Ｃでは、マスク処理部１２Ｒ，１２Ｇ，１２Ｂから出力された個別映像信号Ｓ４Ｒ，Ｓ４Ｇ，Ｓ７Ｂに基づき、出力信号処理部１４ｂが本発明における出力信号に相当する個別映像信号Ｓ４Ｒ，Ｓ４Ｇ，Ｓ８Ｂを生成する構成が採用されている。この場合、出力信号処理部１４ｂは、本発明における第４の信号変換処理部に相当し、制御部５の制御に従い、マスク処理部１２Ｒ，１２Ｇ，１２Ｂから出力された個別映像信号Ｓ４Ｒ，Ｓ４Ｇ，Ｓ７Ｂにおける各画素毎の明度の値を有効（enable）または無効（disable ）に切り換える（有効である旨が規定された情報を無効に切り換える）切り換え処理（信号を無効とする変換処理の一例）を実行可能なデコーダで構成されている。
【００５１】
このプロジェクタ１Ｃでは、外部装置（図示せず）からスクリーンに表示すべき映像についての映像信号Ｓ１が出力されたときに、図７に示すように、前述したプロジェクタ１Ｂと同様にして、入力信号処理部１１が映像信号Ｓ１に基づいて各液晶ライトバルブ４Ｒ，４Ｇ，４Ｂ用の個別映像信号Ｓ２Ｒ，Ｓ２Ｇ，Ｓ２Ｂを生成して出力する。次いで、各補正処理部１３Ｒ，１３Ｇ，１３Ｂが制御部５の制御に従って各個別映像信号Ｓ２Ｒ，Ｓ２Ｇ，Ｓ２Ｂに対する信号補正処理を実行して個別映像信号Ｓ６Ｒ，Ｓ６Ｇ，Ｓ６Ｂを生成する。続いて、各マスク処理部１２Ｒ，１２Ｇ，１２Ｂが個別映像信号Ｓ６Ｒ，Ｓ６Ｇ，Ｓ６Ｂに対して、前述した非表示領域映像Ｐｂに対応する画素分の映像信号（本発明における「非表示領域用映像信号」）を付加して個別映像信号Ｓ４Ｒ，Ｓ４Ｇ，Ｓ７Ｂを生成する。
【００５２】
次いで、出力信号処理部１４ｂが制御部５の制御に従い、個別映像信号Ｓ４Ｒ，Ｓ４Ｇ，Ｓ７Ｂの各画素毎の明度の値についての有効／無効を切り換える切り換え処理を実行する。この際に、制御部５は、記憶部６に記憶されている特性情報Ｄに基づいて出力信号処理部１４ｂを制御し、個別映像信号Ｓ４Ｒ，Ｓ４Ｇについては、映像本体Ｐａに対応する信号および非表示領域映像Ｐｂに対応する信号の双方の明度の値を「有効」としたまま切り換えることなく個別映像信号Ｓ４Ｒ，Ｓ４Ｇを出力させる。また、制御部５は、個別映像信号Ｓ７Ｂについては、映像本体Ｐａに対応する信号の明度の値を「有効」としたまま切り換えず、かつ、非表示領域映像Ｐｂに対応する信号の明度の値を液晶ライトバルブ４Ｂの光変調特性に応じて「無効」に切り換えさせることにより、個別映像信号Ｓ８Ｂを生成させて出力させる。
【００５３】
次いで、液晶ライトバルブ駆動部３が映像信号処理部２Ｃ（出力信号処理部１４ｂ）から出力された個別映像信号Ｓ４Ｒ，Ｓ４Ｇ，Ｓ８Ｂに基づいて駆動信号Ｓ５Ｒ，Ｓ５Ｇ，Ｓ５Ｂを生成して各液晶ライトバルブ４Ｒ，４Ｇ，４Ｂに出力する。この際に、液晶ライトバルブ駆動部３は、個別映像信号Ｓ４Ｒ，Ｓ４Ｇ，Ｓ８Ｂにおいて明度の値が小さい画素（暗い画素）については、液晶ライトバルブ４Ｒ，４Ｇ，４Ｂに対して大きな値の電圧が印加され、個別映像信号Ｓ４Ｒ，Ｓ４Ｇ，Ｓ８Ｂにおいて明度の値が大きい画素（明るい画素）については、液晶ライトバルブ４Ｒ，４Ｇ，４Ｂに対して小さな値の電圧が印加されるか、または、電圧が印加されないように、各駆動信号Ｓ５Ｒ，Ｓ５Ｇ，Ｓ５Ｂを生成する。また、液晶ライトバルブ駆動部３は、個別映像信号Ｓ８Ｂにおいて明度の値が「無効」とされている画素（非表示領域映像Ｐｂに対応する各画素）については、液晶ライトバルブ４Ｒ，４Ｇ，４Ｂに対して小さな値の電圧が印加されるか、または、電圧が印加されないように、駆動信号Ｓ５Ｂを生成する。
【００５４】
この結果、各液晶ライトバルブ４Ｒ，４Ｇ，４Ｂにおいて、映像信号Ｓ１における白色の部位に相当する領域において赤色光ＬＲ、緑色光ＬＧおよび青色光ＬＢの透過が許容されると共に、映像信号Ｓ１における黒色の円に相当する領域と、マスク処理部１２Ｒ，１２Ｇ，１２Ｂによって付加された映像信号（非表示領域映像Ｐｂに対応する部位の信号）に対応する領域とにおいて赤色光ＬＲ、緑色光ＬＧおよび青色光ＬＢの透過が規制される。したがって、スクリーンには、白色の画面内に黒色の円が描かれた映像本体Ｐａと、その周囲の黒色の非表示領域映像Ｐｂとが映像Ｐとして表示される。
【００５５】
このように、このプロジェクタ１Ｃによれば、出力信号処理部１４ｂ（第４の信号変換処理部）が液晶ライトバルブ４Ｒ，４Ｇ，４Ｂ毎の光変調特性に応じて個別映像信号Ｓ４Ｒ，Ｓ４Ｇ，Ｓ７Ｂ（第３の処理済み信号）における非表示領域映像Ｐｂ（非表示領域）に対応する信号を有効または無効とする変換処理を実行して個別映像信号Ｓ４Ｒ，Ｓ４Ｇ，Ｓ８Ｂ（出力信号）を生成するように映像信号処理部２Ｃを構成したことにより、例えば、ノーマリーホワイトの液晶ライトバルブ（この例では、液晶ライトバルブ４Ｒ，４Ｇ）における非表示領域映像Ｐｂに対応する領域において光源からの光の透過が規制され、ノーマリーブラックの液晶ライトバルブ（この例では、液晶ライトバルブ４Ｂ）における非表示領域映像Ｐｂに対応する領域において光源からの光の透過が許容されるといった事態を招くことなく、光変調特性が相違する液晶ライトバルブ４Ｒ，４Ｇ，４Ｂのすべてにおける非表示領域映像Ｐｂに対応する領域において光源からの光の透過を規制して映像Ｐを表示させることができる。したがって、映像本体Ｐａの周囲に意図しない色の非表示領域映像Ｐｂが表示される事態を招くことなく、光変調特性が相違する液晶ライトバルブ４Ｒ，４Ｇ，４Ｂを組み合わせて採用することができる結果、ブラックマトリクスを一層細くすると共に高コントラスト化を図ることができる。また、光変調特性が相違する光変調素子毎に、明度の値が相違する非表示領域用映像信号を用意することなく、マスク処理部１２Ｒ，１２Ｇ，１２Ｂによって同一の非表示領域用映像信号（非表示領域映像Ｐｂに対応する黒色の色情報で構成された映像信号）を各個別映像信号Ｓ６Ｒ，Ｓ６Ｇ，Ｓ６Ｂに付加することで個別映像信号Ｓ４Ｒ，Ｓ４Ｇ，Ｓ７Ｂを生成することができるため、映像信号処理部２Ｃを簡易に構成することができる。
【００５６】
また、このプロジェクタ１Ｃによれば、記憶部６に書き換え可能に記憶させた特性情報Ｄ（光変調特性情報）に基づき、映像信号処理部２Ｃが液晶ライトバルブ４Ｒ，４Ｇ，４Ｂ毎の光変調特性に応じて個別映像信号Ｓ４Ｒ，Ｓ４Ｇ，Ｓ８Ｂを生成する構成を採用したことにより、プロジェクタ１Ｃに求められる仕様に応じて光変調特性が相違する液晶ライトバルブの組み合わせを変更するときにも、映像信号処理部２Ｃの構成を変更することなく、新たな組み合わせの液晶ライトバルブに応じて特性情報Ｄを書き換えるだけで映像本体Ｐａの周囲に意図しない色の非表示領域映像Ｐｂが表示される事態を回避することができる。
【００５７】
なお、本発明は、上記の構成に限定されない。例えば、液晶ライトバルブ４Ｒ，４Ｇ，４Ｂを備えたプロジェクタ１，１Ａ〜１Ｃを例に挙げて説明したが、本発明における光変調素子は、液晶ライトバルブに限定されず、液晶ライトバルブに代えて、デジタルマイクロミラーデバイス等の光変調素子を採用することができる。また、光変調素子として液晶ライトバルブを採用するときにも、透過型の液晶ライトバルブに限定されず、反射型の液晶ライトバルブを採用することができる。さらに、フロント投射型のプロジェクタ１，１Ａ〜１Ｃを例に挙げて説明したが、本発明に係るプロジェクタはフロント投射型に限定されず、背面投射型のプロジェクタに本発明を適用することもできる。
【００５８】
さらに、液晶ライトバルブ４Ｒ，４Ｇ，４Ｂの画素数よりも小さな画素数の映像本体Ｐａを表示させる際に、非表示領域映像Ｐｂを黒色で表示させる例を挙げて説明したが、本発明における非表示領域は、上記の非表示領域映像Ｐｂに対応する領域に限定されず、出願人が開示している従来のプロジェクタのように、表示すべき画像（映像）のアスペクト比を調整する際に生じる余白領域を本発明における非表示領域として映像信号処理部によって処理する構成を採用することができる。また、赤色光ＬＲを光変調処理する液晶ライトバルブ４Ｒ、および緑色光ＬＧを光変調処理する液晶ライトバルブ４Ｒをノーマリーホワイトの液晶ライトバルブで構成すると共に、青色光ＬＢを光変調処理する液晶ライトバルブ４Ｒをノーマリーブラックの液晶ライトバルブで構成した例について説明したが、いずれの光変調素子をノーマリーホワイトとし、いずれの光変調素子をノーマリーブラックとするかについては、プロジェクタに求められる特性に応じて適宜変更することができる。
【図面の簡単な説明】
【００５９】
【図１】プロジェクタ１の構成を示す構成図である。
【図２】プロジェクタ１によって実行される各処理についての説明図である。
【図３】プロジェクタ１Ａの構成を示す構成図である。
【図４】プロジェクタ１Ａによって実行される各処理についての説明図である。
【図５】プロジェクタ１Ｂ，１Ｃの構成を示す構成図である。
【図６】プロジェクタ１Ｂによって実行される各処理についての説明図である。
【図７】プロジェクタ１Ｃによって実行される各処理についての説明図である。
【符号の説明】
【００６０】
１，１Ａ〜１Ｃ  プロジェクタ、２，２Ａ〜２Ｃ  映像信号処理部、３  液晶ライトバルブ駆動部、４  投射機構、４Ｒ，４Ｇ，４Ｂ  液晶ライトバルブ、５  制御部、６  記憶部、１１  入力信号処理部、１２Ｒ，１２Ｇ，１２Ｂ  マスク処理部、１３Ｒ，１３Ｇ，１３Ｂ  補正処理部、１４ａ，１４ｂ  出力信号処理部、Ｄ  特性情報、ＬＲ  赤色光、ＬＧ  緑色光、ＬＢ  青色光、Ｐ  映像、Ｐａ  映像本体、Ｐｂ  非表示領域映像、Ｓ１  映像信号、Ｓ２Ｒ，Ｓ２Ｇ，Ｓ２Ｂ，Ｓ３Ｒ，Ｓ３Ｇ，Ｓ３Ｂ，Ｓ４Ｒ，Ｓ４Ｇ，Ｓ４Ｂ，Ｓ６Ｒ，Ｓ６Ｇ，Ｓ６Ｂ，Ｓ７Ｂ，Ｓ８Ｂ  個別映像信号、Ｓ５Ｒ，Ｓ５Ｇ，Ｓ５Ｂ  駆動信号
【図１】
2007219355.tif 000003
【図２】
2007219355.tif 000004
【図３】
2007219355.tif 000005
【図４】
2007219355.tif 000006
【図５】
2007219355.tif 000007
【図６】
2007219355.tif 000008
【図７】
2007219355.tif 000009